(57)【要約】【課題】無線信号の干渉を容易に回避する。【解決手段】無線通信機能を有する端末との間で、所定の無線周波数帯を用いて、第１の時分割複信フレームを送受信する無線基地局１０１において、当該無線周波数帯を用いる無線基地局３０１−１から送信された第２の時分割複信フレームを受信した場合、受信した第２の時分割複信フレームに基づいて、第１の時分割複信フレームの送信の開始タイミングを、第２の時分割複信フレームに干渉しないタイミングに設定し、設定した開始タイミングで第１の時分割複信フレームを端末へ送信する。【選択図】図１
2009239840.tif 000002
【特許請求の範囲】
【請求項１】
無線通信機能を有する端末との間で、所定の無線周波数帯を用いて、第１の時分割複信フレームを送受信する無線基地局であって、
前記無線周波数帯と同じ無線周波数帯を用いて、当該無線基地局以外の無線基地局から送信された第２の時分割複信フレームを受信した場合、前記受信した第２の時分割複信フレームに基づいて、前記第１の時分割複信フレームの送信の開始タイミングを、前記第２の時分割複信フレームに干渉しないタイミングに設定するタイミング設定部と、
前記開始タイミングで前記第１の時分割複信フレームを前記端末へ送信する信号送信部とを有する無線基地局。
【請求項２】
請求項１に記載の無線基地局において、
前記タイミング設定部は、前記第２の時分割複信フレームの構造を該第２の時分割複信フレームに格納されたＭＡＰ情報に基づいて解析し、該第２の時分割複信フレーム内の下り信号の送信完了時刻を前記開始タイミングに設定することを特徴とする無線基地局。
【請求項３】
請求項１に記載の無線基地局において、
前記受信した第２の時分割複信フレームの受信電力を測定する受信電力測定部を有し、
前記タイミング設定部は、前記受信電力測定部が測定した受信電力に基づいて、前記開始タイミングを設定することを特徴とする無線基地局。
【請求項４】
請求項３に記載の無線基地局において、
当該該無線周波数帯を用いる、当該無線基地局以外の複数の無線基地局から送信された第２の時分割複信フレームを受信した場合、前記受信電力測定部は、前記複数の無線基地局のうち前記受信電力が最も高い第２の時分割複信フレームを送信した無線基地局から送信された前記第２の時分割複信フレームの受信電力を測定することを特徴とする無線基地局。
【請求項５】
請求項３または請求項４に記載の無線基地局において、
前記タイミング設定部は、前記受信電力測定部が測定した受信電力の最も低い時刻を前記開始タイミングに設定することを特徴とする無線基地局。
【請求項６】
請求項３または請求項４に記載の無線基地局において、
前記タイミング設定部は、前記受信電力測定部が測定した受信電力と所定の閾値とに基づいて、前記開始タイミングを設定することを特徴とする無線基地局。
【請求項７】
請求項６に記載の無線基地局において、
前記タイミング設定部は、前記受信電力測定部が測定した受信電力が前記閾値よりも低い時刻を前記開始タイミングに設定することを特徴とする無線基地局。
【請求項８】
無線通信機能を有する端末と無線基地局との間で、所定の無線周波数帯を用いて送受信される第１の時分割複信フレームを制御する無線信号制御方法であって、
前記無線周波数帯と同じ無線周波数帯を用いて、当該無線基地局以外の無線基地局から送信された第２の時分割複信フレームを当該無線基地局にて受信した場合、前記受信した第２の時分割複信フレームに基づいて、前記第１の時分割複信フレームの送信の開始タイミングを、前記第２の時分割複信フレームに干渉しないタイミングに設定する処理と、
前記開始タイミングで前記第１の時分割複信フレームを当該無線基地局から前記端末へ送信する処理とを有する無線信号制御方法。
【請求項９】
請求項８に記載の無線信号制御方法において、
前記第２の時分割複信フレームの構造を該第２の時分割複信フレームに格納されたＭＡＰ情報に基づいて解析する処理と、
前記第２の時分割複信フレーム内の下り信号の送信完了時刻を前記開始タイミングに設定する処理とを有することを特徴とする無線信号制御方法。
【請求項１０】
請求項８に記載の無線信号制御方法において、
前記受信した第２の時分割複信フレームの受信電力を測定する処理と、
前記測定した受信電力に基づいて、前記開始タイミングを設定する処理とを有することを特徴とする無線信号制御方法。
【請求項１１】
請求項１０に記載の無線信号制御方法において、
当該無線周波数帯を用いる、当該無線基地局以外の複数の無線基地局から送信された第２の時分割複信フレームを当該無線基地局にて受信した場合、前記複数の無線基地局のうち前記受信電力が最も高い第２の時分割複信フレームを送信した無線基地局から送信された前記第２の時分割複信フレームの受信電力を測定する処理を有することを特徴とする無線信号制御方法。
【請求項１２】
請求項１０または請求項１１に記載の無線信号制御方法において、
前記測定した受信電力の最も低い時刻を前記開始タイミングに設定する処理を有することを特徴とする無線信号制御方法。
【請求項１３】
請求項１０または請求項１１に記載の無線信号制御方法において、
前記測定した受信電力と所定の閾値とに基づいて、前記開始タイミングを設定する処理を有することを特徴とする無線信号制御方法。
【請求項１４】
請求項１３に記載の無線信号制御方法において、
前記測定した受信電力が前記閾値よりも低い時刻を前記開始タイミングに設定する処理を有することを特徴とする無線信号制御方法。
【請求項１５】
無線通信機能を有する端末との間で、所定の無線周波数帯を用いて、第１の時分割複信フレームを送受信する無線基地局に、
当該無線基地局にて、前記無線周波数帯と同じ無線周波数帯を用いて、当該無線基地局以外の無線基地局から送信された第２の時分割複信フレームを受信した場合、前記受信した第２の時分割複信フレームに基づいて、前記第１の時分割複信フレームの送信の開始タイミングを、前記第２の時分割複信フレームに干渉しないタイミングに設定する手順と、
前記開始タイミングで前記第１の時分割複信フレームを前記端末へ送信する手順とを実行させるプログラム。
【請求項１６】
請求項１５に記載のプログラムにおいて、
前記第２の時分割複信フレームの構造を該第２の時分割複信フレームに格納されたＭＡＰ情報に基づいて解析する手順と、
前記第２の時分割複信フレーム内の下り信号の送信完了時刻を前記開始タイミングに設定する手順とを実行させることを特徴とするプログラム。
【請求項１７】
請求項１５に記載のプログラムにおいて、
前記受信した第２の時分割複信フレームの受信電力を測定する手順と、
前記測定した受信電力に基づいて、前記開始タイミングを設定する手順とを実行させることを特徴とするプログラム。
【請求項１８】
請求項１７に記載のプログラムにおいて、
当該無線基地局にて、当該無線周波数帯を用いる、当該無線基地局以外の複数の無線基地局から送信された第２の時分割複信フレームを受信した場合、
前記複数の無線基地局のうち前記受信電力が最も高い第２の時分割複信フレームを送信した無線基地局から送信された前記第２の時分割複信フレームの受信電力を測定する手順を実行させることを特徴とするプログラム。
【請求項１９】
請求項１７または請求項１８に記載のプログラムにおいて、
前記測定した受信電力の最も低い時刻を前記開始タイミングに設定する手順を実行させることを特徴とするプログラム。
【請求項２０】
請求項１７または請求項１８に記載のプログラムにおいて、
前記測定した受信電力と所定の閾値とに基づいて、前記開始タイミングを設定する手順を実行させることを特徴とするプログラム。
【請求項２１】
請求項２０に記載のプログラムにおいて、
前記測定した受信電力が前記閾値よりも低い時刻を前記開始タイミングに設定する手順を実行させることを特徴とするプログラム。
【発明の詳細な説明】
【技術分野】
【０００１】
本発明は、無線通信を行うための無線基地局、無線信号制御方法およびプログラムに関し、特に時分割複信（ＴＤＤ）フレームを用いて無線通信を行うための無線基地局、無線信号制御方法およびプログラムに関する。
【背景技術】
【０００２】
近年、無線技術を用いた無線通信が急速に普及されてきている。一方、無線通信に使用できる周波数帯域は有限なものである。そのため、無線通信を行う端末等が増えるに従い、周波数帯域の枯渇が予想される。
【０００３】
周波数帯域の枯渇が生じてしまうと、割り当て周波数が少ないシステム（例えば、ＷｉＭＡＸ技術を用いたシステム）においては、無線基地局において当該無線基地局とは異なる無線基地局にて使用されている周波数と同一の周波数を使わざるを得ない状況となってしまう。特に、時分割複信手法であるＴＤＤ（Ｔｉｍｅ  Ｄｉｖｉｓｉｏｎ  Ｄｕｐｌｅｘ）を用いて同期信号による送信タイミングが同期化されているシステムにおいて、互いに同一の周波数帯域を使用している複数の無線基地局が隣接している場合、互いの無線信号に干渉が生じてしまうおそれがある。これは、すでに配置されている無線基地局に対して、システム容量やカバレッジを増やすために新たに無線基地局を配置する場合にも同じ現象が生じてしまうおそれがある。
【０００４】
図９は、干渉が生じるおそれがある無線基地局と端末との配置の一例を示す図である。
【０００５】
図９に示すように、無線基地局１００１−１と、無線基地局１００１−２とが配置されており、無線基地局１００１−１がカバーするセル１００２−１内に端末１００３−１が存在する。また、セル１００２−１と無線基地局１００１−２がカバーするセル１００２−２とが重なる部分に端末１００３−２が存在する。
【０００６】
このとき、端末１００３−２は無線基地局１００１−２と通信を行っている。しかしながら、セル１００２−１内にも存在しているため、端末１００３−２から無線基地局１００１−２へ送信された上り信号（端末１００３−２から無線基地局１００１−２への実線）が、無線基地局１００１−１にて干渉信号（端末１００３−２から無線基地局１００１−１への破線）として受信されてしまう。これにより、端末１００３−１から送信され、無線基地局１００１−１にて受信される上り信号に、当該干渉信号が影響を与えてしまうおそれがある。
【０００７】
図１０は、図９に示した配置において干渉するＴＤＤフレーム信号を示す図である。
【０００８】
図１０に示すように、端末１００３−２から送信される上り信号の送信タイミングと、無線基地局１００１−１にて受信される上り信号の受信タイミングとが一致する。そのため、端末１００３−２から送信される上り信号が、端末１００３−１から送信されて無線基地局１００１−１にて受信される上り信号に干渉してしまうおそれがある。
【０００９】
図１１は、干渉が生じるおそれがある無線基地局と端末との配置の他の例を示す図である。
【００１０】
図１１に示すように、無線基地局１００１−１と、無線基地局１００１−２とが配置されており、無線基地局１００１−１がカバーするセル１００２−１と無線基地局１００１−２がカバーするセル１００２−２とが重なる部分に端末１００３−１が存在する。また、セル１００２−２内に端末１００３−２が存在する。
【００１１】
このとき、端末１００３−１は無線基地局１００１−１と通信を行っている。しかしながら、セル１００２−２内にも存在しているため、無線基地局１００１−２から端末１００３−２へ送信された下り信号（無線基地局１００１−２から端末１００３−２への実線）が、端末１００３−１にて干渉信号（無線基地局１００１−２から端末１００３−１への破線）として受信されてしまう。これにより、無線基地局１００１−１から送信され、端末１００３−１にて受信される下り信号に、当該干渉信号が影響を与えてしまうおそれがある。
【００１２】
図１２は、図１１に示した配置において干渉するＴＤＤフレーム信号を示す図である。
【００１３】
図１２に示すように、無線基地局１００１−２から送信される下り信号の送信タイミングと、端末１００３−１にて受信される下り信号の受信タイミングとが一致する。そのため、無線基地局１００１−２から送信される下り信号が、無線基地局１００１−１から送信されて端末１００３−１にて受信される下り信号に干渉してしまうおそれがある。
【００１４】
そこで、無線信号の送受信に指向性を持ったＢＦ（Beam Forming）の技術を用いて、上述したような無線信号を回避する技術が考えられている。
【００１５】
また、無線基地局と端末との間にて無線通信が行われており、当該無線通信が、他の無線基地局と他の端末との間にて行われている無線通信に干渉する場合、信号を送信する周期を互いに異なる周期に変更することにより、当該干渉を軽減する技術が考えられている（例えば、特許文献１参照。）。
【特許文献１】特開２００３−２８９５７６号公報
【発明の開示】
【発明が解決しようとする課題】
【００１６】
しかしながら、ＢＦを用いた技術においては、無線基地局に設置するアンテナ素子数が増えてしまい、そのための設置コストが高くなってしまうという問題点がある。
【００１７】
また、特許文献１に記載された技術においては、一方の無線基地局と端末との間の信号送信周期を長く設定することにより、信号送信周期が長く設定された無線基地局と端末との間においては、通信速度が下がってしまうという問題点がある。
【００１８】
本発明は、上述した課題を解決する無線基地局、無線信号制御方法およびプログラムを提供することを目的とする。
【課題を解決するための手段】
【００１９】
上記目的を達成するために本発明は、
無線通信機能を有する端末との間で、所定の無線周波数帯を用いて、第１の時分割複信フレームを送受信する無線基地局であって、
前記無線周波数帯と同じ無線周波数帯を用いて、当該無線基地局以外の無線基地局から送信された第２の時分割複信フレームを受信した場合、前記受信した第２の時分割複信フレームに基づいて、前記第１の時分割複信フレームの送信の開始タイミングを、前記第２の時分割複信フレームに干渉しないタイミングに設定するタイミング設定部と、
前記開始タイミングで前記第１の時分割複信フレームを前記端末へ送信する信号送信部とを有する。
【００２０】
また、無線通信機能を有する端末と無線基地局との間で、所定の無線周波数帯を用いて送受信される第１の時分割複信フレームを制御する無線信号制御方法であって、
前記無線周波数帯と同じ無線周波数帯を用いて、当該無線基地局以外の無線基地局から送信された第２の時分割複信フレームを当該無線基地局にて受信した場合、前記受信した第２の時分割複信フレームに基づいて、前記第１の時分割複信フレームの送信の開始タイミングを、前記第２の時分割複信フレームに干渉しないタイミングに設定する処理と、
前記開始タイミングで前記第１の時分割複信フレームを当該無線基地局から前記端末へ送信する処理とを有する。
【００２１】
また、無線通信機能を有する端末との間で、所定の無線周波数帯を用いて、第１の時分割複信フレームを送受信する無線基地局に実行させるプログラムであって、
当該無線基地局にて、前記無線周波数帯と同じ無線周波数帯を用いて、当該無線基地局以外の無線基地局から送信された第２の時分割複信フレームを受信した場合、前記受信した第２の時分割複信フレームに基づいて、前記第１の時分割複信フレームの送信の開始タイミングを、前記第２の時分割複信フレームに干渉しないタイミングに設定する手順と、
前記開始タイミングで前記第１の時分割複信フレームを前記端末へ送信する手順とを実行させる。
【発明の効果】
【００２２】
以上説明したように本発明においては、無線通信機能を有する端末との間で、所定の無線周波数帯を用いて、第１の時分割複信フレームを送受信する無線基地局において、第１の時分割複信フレームの送受信に用いる無線周波数帯と同じ無線周波数帯を用いて、当該無線基地局以外の無線基地局から送信された第２の時分割複信フレームを受信した場合、受信した第２の時分割複信フレームに基づいて、第１の時分割複信フレームの送信の開始タイミングを、第２の時分割複信フレームに干渉しないタイミングに設定し、設定した開始タイミングで第１の時分割複信フレームを端末へ送信する構成としたため、無線信号の干渉を容易に回避することができる。
【発明を実施するための最良の形態】
【００２３】
以下に、本発明の実施の形態について図面を参照して説明する。
【００２４】
図１は、本発明の無線基地局の実施の一形態を示す図である。
【００２５】
本形態は図１に示すように、セル３０２−１〜３０２−３をそれぞれ通信エリアとしてカバーする無線基地局３０１−１〜３０１−３と、無線基地局３０１−１〜３０１−３の上位装置であり、無線基地局３０１−１〜３０１−３を制御するための制御装置２０１とから構成されているシステムにおいて、セル１０２を通信エリアとしてカバーする無線基地局１０１が追加されている。無線基地局１０１もまた制御装置２０１と接続されている。また、無線基地局１０１がカバーするセル１０２と、無線基地局３０１−１〜３０１−３がそれぞれカバーするセル３０２−１〜３０２−３とは、重なった部分を有している。なお、図１に示した無線基地局１０１，３０１−１〜３０２−３は、一般的な無線通信機能を有する端末と無線通信を行うことにより接続される無線基地局である。
【００２６】
図２は、図１に示した無線基地局１０１の構成の一例を示す図である。
【００２７】
図１に示した無線基地局１０１には図２に示すように、信号受信部１１１と、受信電力測定部１１２と、タイミング設定部１１３と、記憶部１１４と、信号送信部１１５とが設けられている。
【００２８】
信号受信部１１１は、隣接する無線基地局３０１−１〜３０１−３から送信された信号である時分割複信フレーム（以下、ＴＤＤフレームと称する）を受信する。
【００２９】
受信電力測定部１１２は、信号受信部１１１にて受信されたＴＤＤフレームの受信電力を測定する。
【００３０】
タイミング設定部１１３は、受信電力測定部１１２にて測定された結果に基づいて、無線基地局１０１に接続される端末へ送信するＴＤＤフレームの送信タイミングを設定する。
【００３１】
記憶部１１４は、タイミング設定部１１３で設定された送信タイミング等を記憶する。また、後述する閾値を記憶しても良い。
【００３２】
信号送信部１１５は、タイミング設定部１１３にて設定された送信タイミングで、ＴＤＤフレームを端末へ送信する。
【００３３】
なお、図２には、図１に示した無線基地局１０１の構成要素のうち、本発明に関わる構成要素のみを示した。
【００３４】
以下に、図１に示した形態における図２に示した無線基地局１０１にて行われる無線信号制御方法について説明する。なお、無線基地局１０１が隣接する無線基地局３０１−１〜３０１−３のうち、無線基地局３０１−１が、無線基地局１０１において測定された受信電力の最も高いＴＤＤフレームを送信した無線基地局である場合を例に挙げて説明する。
【００３５】
図３は、図１に示した形態における図２に示した無線基地局１０１にて行われる無線信号制御方法の一例を説明するためのフローチャートである。
【００３６】
まず、無線基地局３０１−１から送信された第２の時分割複信フレームであるＴＤＤフレームが、信号受信部１１１にて受信されることにより、モニタされる（ステップＳ１）。
【００３７】
すると、信号受信部１１１にてモニタされたＴＤＤフレームの受信電力が受信電力測定部１１２にて測定される（ステップＳ２）。この測定方法については、一般的に用いられている方法で良い。測定された受信電力は、受信電力情報として受信電力測定部１１２からタイミング設定部１１３へ出力される。
【００３８】
続いて、受信電力測定部１１２から出力された受信電力情報がタイミング設定部１１３に入力すると、入力した受信電力情報に基づいて無線基地局１０１から無線基地局１０１と接続された端末へ第１の時分割複信フレームであるＴＤＤフレームを送信するタイミングがタイミング設定部１１３にて設定される。
【００３９】
具体的には、受信電力の最も低い時刻（タイミング）がＴＤＤフレームの送信開始のタイミングを意味するスタートタイミングに設定される（ステップＳ３）。これは、無線基地局３０１−１から送信されるＴＤＤフレームが無線基地局１０１にて受信されるときの受信電力が最も低いときが、信号の干渉が生じる確率が最も低いと判断するものである。
【００４０】
なお、第１の時分割複信フレームを送受信するために用いる無線周波数帯と、第２の時分割複信フレームを送受信するために用いる無線周波数帯とは、同じ無線周波数帯である。
【００４１】
図４は、無線基地局１０１が受信するＴＤＤフレームの受信電力と時間との関係を示すグラフである。縦軸に受信電力を示しており、また横軸に時間を示している。また、ここでは、ＷｉＭＡＸシステムのように、ＴＤＤフレームが５ｍｓの周期を持った（５ｍｓの長さの）フレーム単位で送受信される場合を例に挙げる。
【００４２】
図４に示すように、受信電力が時間と共に変化しており、受信電力の最も低い時刻がフレーム周期で現れる。この受信電力の最も低い時刻が、スタート（開始）タイミングとして設定される。
【００４３】
図５は、無線基地局１０１，３０１−１から送信されるＴＤＤフレームと、そのスタートタイミングとの一例を示す図である。ここでは、ＷｉＭＡＸシステムにおけるものを例に挙げて説明する。
【００４４】
図５に示すように、無線基地局１０１，３０１−１から送信されるＴＤＤフレームには、端末の初期同期、伝送路決定、無線基地局１０１，３０１−１の識別（無線基地局識別情報）に用いられるＰｉｌｏｔ信号であるＰｒｅａｍｂｌｅ信号が先頭に存在している。また、Ｐｒｅａｍｂｌｅ信号に続いて、無線基地局１０１，３０１−１から端末へ送信される情報である下り信号が格納される下り信号のサブフレーム（以下、下り信号サブフレームと称する）が存在する。さらに、下り信号サブフレームに続いて、端末から無線基地局１０１，３０１−１へ送信される上り信号が格納される上り信号のサブフレーム（以下、上り信号サブフレームと称する）が存在する。また、上り信号サブフレームと下り信号サブフレームとの間に、無線基地局１０１，３０１−１と端末との間の伝搬遅延を吸収するためのＧａｐ時間であるＴＴＧが設けられている。また、同様のＧａｐ時間であるＲＴＧが上り信号サブフレームに続いて設けられている。
【００４５】
ここで、ＴＤＤフレームの下り信号サブフレームが下り信号（ユーザバースト信号）で埋まっている場合、図４に示した受信電力の最も低い時刻は、図５に示した無線基地局３０１−１から送信されるＴＤＤフレームの下り信号サブフレームの送信完了時刻に当たる可能性が高い。それは、無線基地局３０１−１から端末へ送信されるユーザバースト信号の受信電力が高いため、その下り信号の送信が完了した時刻が受信電力の最も低い時刻となるためである。このユーザバースト信号とは、無線基地局１０１，３０１−１〜３０１−３から端末へ送信される下り信号であり、下り信号サブフレーム内で送信される。
【００４６】
これにより、ＴＤＤフレームの下り信号サブフレームがユーザバースト信号で埋まっている場合、無線基地局１０１から端末へ送信されるＴＤＤフレームのスタートタイミングは図５に示すように、無線基地局３０１−１から送信されるＴＤＤフレームの下り信号サブフレームの送信完了時刻になる可能性が高い。
【００４７】
このようにステップＳ３においてタイミング設定部１１３にて設定されたスタートタイミングで、信号送信部１１５からＴＤＤフレームが端末へ送信される（ステップＳ４）。
【００４８】
また、図２に示した記憶部１１４に所定の閾値を予め記憶しておき、記憶された閾値と受信電力との比較結果に基づいてスタートタイミングが設定されるものであっても良い。
【００４９】
図６は、図１に示した形態における図２に示した無線基地局１０１にて行われる無線信号制御方法の他の例を説明するためのフローチャートである。
【００５０】
まず、無線基地局３０１−１から送信されたＴＤＤフレームが、信号受信部１１１にて受信されることにより、モニタされる（ステップＳ１１）。
【００５１】
すると、信号受信部１１１にてモニタされたＴＤＤフレームの受信電力が受信電力測定部１１２にて測定される（ステップＳ１２）。この測定方法については、一般的に用いられている方法で良い。測定された受信電力は、受信電力情報として受信電力測定部１１２からタイミング設定部１１３へ出力される。
【００５２】
続いて、受信電力測定部１１２から出力された受信電力情報がタイミング設定部１１３に入力すると、記憶部１１４に予め記憶されている閾値がタイミング設定部１１３によって読み出される。そして、記憶部１１４から読み出された閾値と、タイミング設定部１１３に入力した受信電力情報に示される受信電力とが比較される（ステップＳ１３）。
【００５３】
ここで、記憶部１１４に記憶されている閾値は、無線基地局１０１から端末へ送信される信号に干渉を及ぼさない他の信号の受信電力の値が予め計算されて設定されたものである。
【００５４】
その後、比較の結果に基づいて無線基地局１０１から無線基地局１０１と接続された端末へＴＤＤフレームを送信するタイミングがタイミング設定部１１３にて設定される。
【００５５】
具体的には、受信電力が閾値よりも低い時刻がスタートタイミングに設定される（ステップＳ１４）。これは、無線基地局３０１−１から送信されるＴＤＤフレームが無線基地局１０１にて受信されるときの受信電力が閾値よりも低いときが、信号の干渉が生じる確率が低いと判断するものである。
【００５６】
このようにタイミング設定部１１３にて設定されたスタートタイミングで、信号送信部１１５からＴＤＤフレームが端末へ送信される（ステップＳ１５）。
【００５７】
また、信号受信部１１１にて受信されたＴＤＤフレームをタイミング設定部１１３にて解析することにより、スタートタイミングが設定されるものであっても良い。このとき、受信電力測定部１１２における受信電力の測定は行われない。
【００５８】
図７は、図１に示した形態における図２に示した無線基地局１０１にてＴＤＤフレームを解析することにより行われる無線信号制御方法の一例を説明するためのフローチャートである。
【００５９】
まず、無線基地局３０１−１から送信されたＴＤＤフレームが、信号受信部１１１にて受信されると（ステップＳ３１）、受信されたＴＤＤフレームがタイミング設定部１１３にて解析される（ステップＳ３２）。
【００６０】
ＴＤＤフレーム内のサブフレーム構造およびトラフィック情報を示すＭＡＰ情報が解析されることにより、当該ＴＤＤフレーム内の下りサブフレームの構造を把握することができる。ＭＡＰ情報は、下り信号サブフレームの先頭に格納されており、上り信号や下り信号（ユーザバースト信号）がフレーム内でどのようにマッピングされているかを示す情報である。そして、ＭＡＰ情報に示された下り信号に基づいて、無線基地局１０１から端末へ送信されるＴＤＤフレームのスタートタイミングが設定される（ステップＳ３３）。具体的には、無線基地局３０１−１から送信されるＴＤＤフレームの下り信号サブフレーム内の下り信号（ユーザバースト信号）の送信完了時刻に設定される。
【００６１】
このようにタイミング設定部１１３にて設定されたスタートタイミングで、信号送信部１１５からＴＤＤフレームが端末へ送信される（ステップＳ３４）。
【００６２】
また、上述した形態は、カバレッジを増やすために無線基地局１０１が追加された形態である。一方、システム容量を増やすために無線基地局１０１が追加された形態も考えられる。その形態について、以下に説明する。
【００６３】
図８は、本発明の無線基地局の実施の他の形態を示す図である。
【００６４】
本形態は図８に示すように、セル３０２−１を通信エリアとしてカバーする無線基地局３０１−１と、無線基地局３０１−１を制御するための制御装置２０１とから構成されているシステムにおいて、セル１０２を通信エリアとしてカバーする無線基地局１０１が追加されている。無線基地局１０１もまた制御装置２０１と接続されている。また、無線基地局１０１がカバーするセル１０２と、無線基地局３０１−１カバーするセル３０２−１とは、ほぼ同一のエリアとなっている。
【００６５】
図８に示すような形態をとることにより、セル１０２（セル３０２−１）内のシステム容量を実質的に増やすことができる。
【００６６】
なお、上述した制御装置２０１は、無線基地局１０１，３０１−１〜３０１−３を管理および制御する無線基地局１０１，３０１−１〜３０１−３の上位装置として説明したが、無線基地局１０１，３０１−１〜３０１−３の上位ネットワークに位置するシステム（スケジューリングシステム）・機能であっても良い。
【００６７】
また、上述した無線基地局１０１の処理は、目的に応じて作製された論理回路で行うようにしても良い。また、処理内容を記述したプログラムを無線基地局１０１にて読取可能な記録媒体に記録し、この記録媒体に記録されたプログラムを無線基地局１０１に読み込ませ、実行するものであっても良い。無線基地局１０１にて読取可能な記録媒体とは、フロッピーディスク（登録商標）、光磁気ディスク、ＤＶＤ、ＣＤなどの移設可能な記録媒体の他、無線基地局１０１に内蔵されたＨＤＤ等を指す。この記録媒体に記録されたプログラムは、無線基地局１０１内のＣＰＵ（不図示）にて読み込まれ、ＣＰＵの制御によって、上述したものと同様の処理が行われる。ここで、ＣＰＵは、プログラムが記録された記録媒体から読み込まれたプログラムを実行するコンピュータとして動作するものである。
【図面の簡単な説明】
【００６８】
【図１】本発明の無線基地局の実施の一形態を示す図である。
【図２】図１に示した無線基地局の構成の一例を示す図である。
【図３】図１に示した形態における図２に示した無線基地局にて行われる無線信号制御方法の一例を説明するためのフローチャートである。
【図４】無線基地局が受信するＴＤＤフレームの受信電力と時間との関係を示すグラフである。
【図５】無線基地局から送信されるＴＤＤフレームと、そのスタートタイミングとの一例を示す図である。
【図６】図１に示した形態における図２に示した無線基地局にて行われる無線信号制御方法の他の例を説明するためのフローチャートである。
【図７】図１に示した形態における図２に示した無線基地局にてＴＤＤフレームを解析することにより行われる無線信号制御方法の一例を説明するためのフローチャートである。
【図８】本発明の無線基地局の実施の他の形態を示す図である。
【図９】干渉が生じるおそれがある無線基地局と端末との配置の一例を示す図である。
【図１０】図９に示した配置において干渉するＴＤＤフレーム信号を示す図である。
【図１１】干渉が生じるおそれがある無線基地局と端末との配置の他の例を示す図である。
【図１２】図１１に示した配置において干渉するＴＤＤフレーム信号を示す図である。
【符号の説明】
【００６９】
１０１，３０１−１〜３０１−３    無線基地局
１０２，３０２−１〜３０２−３    セル
１１１    信号受信部
１１２    受信電力測定部
１１３    タイミング設定部
１１４    記憶部
１１５    信号送信部
２０１    制御装置
【図１】
2009239840.tif 000003
【図２】
2009239840.tif 000004
【図３】
2009239840.tif 000005
【図４】
2009239840.tif 000006
【図５】
2009239840.tif 000007
【図６】
2009239840.tif 000008
【図７】
2009239840.tif 000009
【図８】
2009239840.tif 000010
【図９】
2009239840.tif 000011
【図１０】
2009239840.tif 000012
【図１１】
2009239840.tif 000013
【図１２】
2009239840.tif 000014